(57)【特許請求の範囲】
【請求項１】
レーダ装置により測定された航空機の位置を示すレーダ情報をもとに、航空機を表すシンボルをレーダ画面に表示するレーダ情報処理装置において、
時間経過に伴う前記シンボルの変化を定義するパラメータとして、レーダ画面に表示されるシンボルのサイズ、及び消去するタイミングを記憶するシンボルパラメータ記憶手段と、
前記シンボルパラメータ記憶手段に記憶されたパラメータに応じて前記シンボルを前記レーダ画面に表示させる第１及び第２のシンボル表示手段と、
前記レーダ装置により第１のレーダ情報が測定された場合に、前記第１のレーダ情報に対応する前記レーダ画面中の位置において、前記第１のシンボル表示手段により時間経過に伴って前記シンボルを変化させると共に前記タイミングに応じて前記シンボルを消去させ、前記レーダ装置により前記第１のレーダ情報の後に第２のレーダ情報が測定された場合に、前記第２のレーダ情報に対応する前記レーダ画面中の位置において、前記第２のシンボル表示手段により時間経過に伴って前記シンボルを変化させると共に前記タイミングに応じて前記シンボルを消去させるシンボル表示制御手段と
を具備したことを特徴とするレーダ情報処理装置。
【請求項２】
前記シンボルパラメータ記憶手段に記憶されたパラメータを外部から入力される指示に応じて設定するパラメータ設定手段をさらに具備したことを特徴とする請求項１記載のレーダ情報処理装置。
【請求項３】
前記シンボルパラメータ記憶手段は、複数種類のシンボルのそれぞれについてのパラメータを記憶することを特徴とする請求項１記載のレーダ情報処理装置。
【請求項４】
レーダ装置により測定された航空機の位置を示すレーダ情報をもとに、航空機を表すシンボルをレーダ画面に表示するレーダ画面表示プログラムであって、
コンピュータを、
レーダ装置により測定された航空機の位置を示すレーダ情報をもとに、航空機を表すシンボルをレーダ画面に表示するレーダ情報処理装置において、
時間経過に伴う前記シンボルの変化を定義するパラメータとして、レーダ画面に表示されるシンボルのサイズ、及び消去するタイミングを記憶させるシンボルパラメータ記憶手段と、
前記シンボルパラメータ記憶手段に記憶されたパラメータに応じて前記シンボルを前記レーダ画面に表示させる第１及び第２のシンボル表示手段と、
前記レーダ装置により第１のレーダ情報が測定された場合に、前記第１のレーダ情報に対応する前記レーダ画面中の位置において、前記第１のシンボル表示手段により時間経過に伴って前記シンボルを変化させると共に前記タイミングに応じて前記シンボルを消去させ、前記レーダ装置により前記第１のレーダ情報の後に第２のレーダ情報が測定された場合に、前記第２のレーダ情報に対応する前記レーダ画面中の位置において、前記第２のシンボル表示手段により時間経過に伴って前記シンボルを変化させると共に前記タイミングに応じて前記シンボルを消去させるシンボル表示制御手段として機能させるためのレーダ画面表示プログラム。
【発明の詳細な説明】
【技術分野】
【０００１】
本発明は、航空管制のためにレーダ情報に基づいて航空機等の位置表示を行うレーダ情報処理装置、レーダ画面表示プログラムに関する。
【背景技術】
【０００２】
一般に、航空機等の航空管制を行うシステムは、航空機等を安全で、能率的に航行させるために、レーダシステムにより航空機等の位置を測定してレーダ画面に表示させるとともに、他の航空機、障害物、および地上との衝突の可能性などを監視している。
【０００３】
航空管制システムは、航空管制レーダシステムから受信したデータをもとに航空機等を検出し、この航空機等について追尾しながらレーダ画面において航空機等の位置表示を行う。
【０００４】
航空機等を追尾する追尾機能は、例えば、追尾対象とする航空機の速度を推定し、この速度をもとにして所定時間後の位置を予測し、その予測位置において所定時間後にレーダシステムによって検出できた場合に同一の航空機であると判定する。
【０００５】
レーダ画面における位置表示の更新は、先に位置表示されている航空機について、追尾機能によって正しく追尾していることが確認された場合に、先の位置表示を消去し、新たな検出位置に応じた位置表示をすることにより行われる。これにより、レーダシステムにより検出された航空機について、継続的に位置表示をすることができる。
【０００６】
また、特許文献１には、航空管制のために航空機の位置を表示する航空機位置表示装置が開示されている。特許文献１の航空機位置表示装置では、航空機の新位置情報と旧位置情報から航空機の位置の変化分を計算し、航空機の表示位置を段階的に更新するための段階更新回数と段階的更新位置情報とを計算し、この段階更新回数と段階的更新位置情報にもとづいて航空機の旧表示位置を段階的に更新している。
【特許文献１】実開平２−１０１２８９号公報
【発明の開示】
【発明が解決しようとする課題】
【０００７】
従来では、航空機等の位置をレーダ画面に表示させる場合には、追尾機能によって、レーダシステムによって検出された航空機等が所定時間前に測定された航空機等と同一のものであると確認された場合に、所定時間前に測定された位置に対する表示を消去し、新たな位置において航空機等を表す位置表示をする処理が行われていた。
【０００８】
また、特許文献１に記載された航空機位置表示装置においても、航空機の新位置情報と旧位置情報から航空機の位置の変化分を計算し、航空機の旧表示位置を段階的に更新しており、新旧の航空機位置に基づく処理を経て表示を行っていた。
【０００９】
このように従来では、追尾機能による処理結果や、所定時間前に検出された航空機等の位置と現在の位置に基づいて位置情報の表示を更新しているため処理の負荷が大きかった。
【００１０】
本発明の課題は、処理負荷を軽減した航空機等の位置表示が可能なレーダ情報処理装置、レーダ画面表示プログラムを提供することにある。
【課題を解決するための手段】
【００１１】
本発明は、レーダ装置により測定された航空機の位置を示すレーダ情報をもとに、航空機を表すシンボルをレーダ画面に表示するレーダ情報処理装置において、時間経過に伴う前記シンボルの変化を定義するパラメータとして、レーダ画面に表示されるシンボルのサイズ、及び消去するタイミングを記憶するシンボルパラメータ記憶手段と、前記シンボルパラメータ記憶手段に記憶されたパラメータに応じて前記シンボルを前記レーダ画面に表示させる第１及び第２のシンボル表示手段と、前記レーダ装置により第１のレーダ情報が測定された場合に、前記第１のレーダ情報に対応する前記レーダ画面中の位置において、前記第１のシンボル表示手段により時間経過に伴って前記シンボルを変化させると共に前記タイミングに応じて前記シンボルを消去させ、前記レーダ装置により前記第１のレーダ情報の後に第２のレーダ情報が測定された場合に、前記第２のレーダ情報に対応する前記レーダ画面中の位置において、前記第２のシンボル表示手段により時間経過に伴って前記シンボルを変化させると共に前記タイミングに応じて前記シンボルを消去させるシンボル表示制御手段とを具備したことを特徴とする。
【発明の効果】
【００１２】
本発明によれば、レーダ装置により所定時間毎に測定されるレーダ情報に応じたレーダ画面の各位置において、シンボルパラメータに応じて個々にシンボルを表示させることで、レーダ情報により測定される航空機等について追尾処理をすることなく表示機能のみによって、航空機等の飛行経路を表す表示更新が可能となる。
【発明を実施するための最良の形態】
【００１３】
以下、図面を参照して本発明の実施の形態について説明する。  
図１は、本実施形態における航空交通管制システムの概略構成を示す図である。図１に示すように、航空交通管制システムには、レーダ装置１０（航空管制レーダシステム）、及びレーダ情報処理装置１２が含まれている。
【００１４】
レーダ装置１０は、航空機の位置を測定し、この航空機の位置に関するレーダ情報を出力する。レーダ装置１０は、例えば複数のレーダシステムを含むものとし、ネットワークによりレーダ情報処理装置１２と接続されている。
【００１５】
レーダ情報処理装置１２は、コンピュータシステムにより実現されるもので、レーダ装置１０から航空機の位置に関するレーダ情報を入力して、このレーダ情報をもとにした航空機の位置表示をすることができる。本実施形態におけるレーダ情報処理装置１２は、レーダ装置１０から取得されたレーダ情報をもとに、表示機能部２４によって処理負担が軽い簡易な位置表示を実行することができる。
【００１６】
図１に示すように、レーダ情報処理装置１２には、制御部２０、レーダ情報取得部２１、レーダ情報記憶部２２、表示機能部２４、シンボルパラメータ設定部２６、シンボルパラメータ記憶部２７、表示制御部２９、表示メモリ３０、及び表示装置３１が設けられている。
【００１７】
制御部２０は、情報処理装置１４全体の制御を司るもので、記憶媒体（メモリ、ハードディスク等）に記憶されたプログラムをＣＰＵにより実行することで実現される。
【００１８】
レーダ情報取得部２１は、レーダ装置１０から出力されるレーダ情報をネットワークを通じて直接取得する。
【００１９】
レーダ情報記憶部２２は、レーダ情報取得部２１により取得されたレーダ情報を記憶する。
【００２０】
表示機能部２４は、レーダ装置１０により測定された航空機の位置を示すレーダ情報をもとに、航空機等を表すシンボルをレーダ画面に表示するものであって、シンボル表示制御部４０、シンボル表示部４２１，４２２，４２３〜４２ｎの処理機能部が含まれている。
【００２１】
シンボル表示制御部４０は、レーダ装置１０により所定時間毎に測定された各レーダ情報に対応するレーダ画面の各位置において、個々にシンボル表示部４２１，４２２，４２３〜４２ｎによって航空機の位置を示すシンボルを表示させるための制御を行う。
【００２２】
シンボル表示部４２１，４２２，４２３〜４２ｎは、シンボル表示制御部４０の制御のもとで、シンボルパラメータに応じてレーダ画面に航空機の位置を表すシンボルを表示させる。シンボル表示部４２１，４２２，４２３〜４２ｎは、所定時間毎に測定されるレーダ情報に対応するレーダ画面の各位置において、個々にシンボルを表示させるため、シンボルを表示させる位置に応じた数が実行がされる。例えば、レーダ画面の４つの位置においてシンボルを表示させる場合には、シンボル表示制御部４０によりシンボル表示部４２１〜４２４が実行される。
【００２３】
シンボルパラメータ設定部２６は、レーダ画面に表示される航空機の位置を示すシンボルに対する時間経過に伴う変化を定義するシンボルパラメータを設定する。シンボルパラメータ設定部２６は、入力装置２８に対する使用者の操作に応じて、シンボルパラメータの内容を設定変更することができる。
【００２４】
シンボルパラメータ記憶部２７は、シンボルパラメータ設定部２６により設定されるシンボルパラメータを記憶する。シンボルパラメータ記憶部２７に記憶されたシンボルパラメータは、表示機能部２４のシンボル表示制御部４０によって、シンボル表示のために起動されたシンボル表示部４２１〜４２ｎに対して提供される。
【００２５】
入力装置２８は、キーボードやポインティングデバイスなどであり、各種の入力操作が行われる。  
表示制御部２９は、制御部２０の制御のもとで表示制御を行うもので、表示メモリ３０に記憶された表示データに応じた画像を表示装置３１のレーダ画面において表示させる。
【００２６】
表示メモリ３０は、表示装置３１により表示される画像の表示データが記憶される。
【００２７】
表示装置３１は、ＣＲＴ（cathode-ray tube）あるいはＬＣＤ（Liquid Crystal Display）などから構成されるもので、表示制御部２９の制御のもとで表示メモリ３０に記憶された表示データに応じた画像を表示する。
【００２８】
図２は、シンボルパラメータ記憶部２７に記憶されるシンボルパラメータの一例を示している。シンボルパラメータは、表示機能部２４によるレーダ画面上での航空機の位置表示（シンボル表示）に用いられるもので、時間経過に伴うシンボルの変化を定義している。
【００２９】
本実施形態におけるシンボルパラメータとしては、表示装置３１において表示される航空機を表すシンボルのサイズ（形状）、色、及びシンボル消去のタイミングについて、シンボルを最初に表示してからの経過時間と対応付けて設定することができる。
【００３０】
図２に示すシンボルパラメータの例では、最初にシンボルを表示する時間０から例えば２秒が経過するごとに表示するシンボルのサイズ（形状）と色が設定されている。図２に示すサイズについてのパラメータは、最初は大きなサイズでシンボル（円形）を表示して、時間が経過するに従って小さなシンボルを表示するように設定されている。また、シンボルの色については、最初に赤色によってシンボルを表示し、次の時間においてピンク色に変更し、その後、黒色にシンボルを表示するように設定されている。  
また、図２に示すシンボルを消去するタイミングについては、時間８（８秒後）に設定されている。
【００３１】
次に、本実施形態における航空交通管制システムの動作について説明する。  
まず、シンボルパラメータ設定処理について、図３に示すフローチャートを参照しながら説明する。
【００３２】
入力装置２８に対する操作によりシンボルパラメータ処理の実行が指示されると、制御部２０は、シンボルパラメータ設定部２６を起動して、シンボルパラメータ処理を開始させる。
【００３３】
まず、シンボルパラメータ設定部２６は、設定対象とするパラメータ（設定パラメータ）の指定を制御部２０を介して入力する（ステップＳ１）。ここでは、「サイズ（形状）」「色」または「消去タイミング」の何れかが指定されるものとする。
【００３４】
次に、シンボルパラメータ設定部２６は、設定パラメータの設定（変更）の対象とする時間の指定を入力する（ステップＳ２）。そして、設定変更しようとするパラメータの指定を入力する（ステップＳ３）。シンボルパラメータ設定部２６は、指定されたパラメータを変更してシンボルパラメータ記憶部２７に記憶させる。
【００３５】
さらに、他のパラメータを変更する場合には、前述と同様の処理を繰り返し実行する（ステップＳ１〜Ｓ４）。設定の完了が指示されると（ステップＳ４、Ｙｅｓ）、シンボルパラメータ設定部２６は、シンボルパラメータ設定処理を終了する。
【００３６】
例えば、シンボルパラメータの「時間４」における色の設定を変更する場合には、設定パラメータとして「色」を指定し、さらに「時間４」を指定することにより、該当するパラメータの設定が可能となる。
【００３７】
ここで、設定可能なサイズ（形状）や色の種類については、シンボルパラメータ設定部２６において予め用意しておき、パラメータ指定時に一覧表示するなどして任意に選択できるようにしても良い。シンボルパラメータ設定部２６は、一覧表示された中から任意に選択されたパラメータを変更後のパラメータとしてシンボルパラメータ記憶部２７に記憶させる。
【００３８】
なお、前述した説明では、時間については変更できないものとしているが、時間間隔についても外部からの入力によって変更可能としても良い。また、図２に示すシンボルパラメータの例では、シンボルのサイズ（形状）、色、シンボル消去のタイミングについて設定可能としているが、その他のパラメータを設定可能としても良い。
【００３９】
次に、レーダ装置１０による測定により得られるレーダ情報（航空機の位置情報）をもとにシンボルを表示するための処理について、図４（ａ）（ｂ）に示すフローチャートを参照しながら説明する。
【００４０】
レーダ情報処理装置１２は、レーダ装置１０により測定された各航空機等に対するレーダ情報をもとに、表示装置３２において各航空機の位置を所定のシンボル（マーク）によりレーダ画面において表示させる。本実施形態におけるレーダ情報処理装置１２では、追尾機能を用いることなく、表示機能部２４によってレーダ情報（位置情報）をもとにレーダ画面中に航空機の位置を表すシンボルを表示する。
【００４１】
なお、制御部２０は、レーダ装置１０によって測定されるＲ−θ座標系の位置情報を、レーダ画面上のシンボルを表示する位置を示すＸ−Ｙ座標系の位置情報に変換して表示機能部２４に対して出力するものとする。
【００４２】
表示機能部２４のシンボル表示制御部４０は、制御部２０を通じて入力される位置情報に応じて、レーダ画面の各位置において、シンボルパラメータに応じて個々にシンボルを表示させるためのシンボル表示制御処理を、図４（ａ）に示すフローチャートに従って実行する。
【００４３】
まず、表示機能部２４のシンボル表示制御部４０は、レーダ情報（位置情報）を入力すると（ステップＡ１）、この入力された位置情報に対応するシンボル表示処理を起動する（ステップＡ２）。例えば、シンボル表示制御部４０は、最初に入力された位置情報に対して、シンボル表示部４２１を起動したものとする。
【００４４】
シンボル表示制御部４０は、シンボル表示部４２１に対して、位置情報（Ａ位置）とシンボルパラメータ記憶部２７に記憶されたシンボルパラメータを提供する。
【００４５】
シンボル表示部４２１は、シンボル表示制御部４０により提供された位置情報をもとに、この位置情報が示す位置においてシンボルを表示するためのシンボル表示処理を、図４（ｂ）に示すフローチャートに従って実行する。
【００４６】
まず、シンボル表示部４２１は、入力された位置情報に対応するレーダ画面中の表示位置を設定し（ステップＢ１）、この表示位置においてシンボルパラメータの時間０に該当するサイズ、色のシンボルを表示させる。すなわち、シンボル表示部４２１は、表示位置においてシンボルを表示するための表示データを、表示制御部２９を通じて表示メモリ３０に記憶させる。表示制御部２９は、表示メモリ３０に記憶された表示データに応じた画像を表示装置３１において表示させる。これにより、レーダ画面中の位置情報に対応する表示位置にシンボルが表示される。
【００４７】
図５（ａ）〜（ｆ）には、表示装置３１におけるレーダ画面の一部を時系列的に示す図である。
【００４８】
図５（ａ）には、最初に入力された位置情報が示すＡ位置において表示されたシンボルを示している。シンボルパラメータには、時間０（初期状態）に対して、大きなサイズのシンボルが設定されているために、図５（ａ）に示すように、Ａ位置に大きなサイズのシンボルを表示させている（シンボルの色は赤）。
【００４９】
その後、シンボル表示部４２１は、同じ表示位置（Ａ位置）において、時間経過に伴ってシンボルパラメータが定義するシンボルを順次表示していく（Ａ位置シンボル表示）。
【００５０】
すなわち、シンボル表示部４２１は、シンボルパラメータに設定された時間が経過すると（ステップＢ３、Ｙｅｓ）、この時間経過（ここでは時間２）に該当するシンボルパラメータのサイズ、色のシンボルを、先に表示していたシンボルに代えて表示させる（ステップＢ５）。
【００５１】
図５（ｂ）には、初期状態から２秒が経過した後に位置情報が入力された時に表示されたシンボルを示している。シンボルパラメータには、時間２に対して、中サイズのシンボルが設定されているために、図５（ｂ）に示すように、Ａ位置に中サイズのシンボルを表示させている（シンボルの色はピンク）。
【００５２】
以下、同様にして、シンボル表示部４２１は、時間の経過に伴って、シンボルパラメータが示すサイズ、色のシンボルを順次表示させる（ステップＢ３，Ｂ５）。
【００５３】
図５（ｃ）には、初期状態から４秒が経過した後に位置情報が入力された時に表示されたシンボルを示している。シンボルパラメータには、時間４に対して、小サイズのシンボルが設定されているために、図５（ｃ）に示すように、Ａ位置に小サイズのシンボルを表示させている（シンボルの色は黒）。
【００５４】
また、図５（ｄ）には、初期状態から６秒が経過した後に位置情報が入力された時に表示されたシンボルを示している。シンボルパラメータには、時間６に対して、小サイズのシンボルが設定されているために、図５（ｄ）に示すように、Ａ位置に小サイズのシンボルを表示させている（シンボルの色は黒）。
【００５５】
そして、シンボル表示部４２１は、シンボルパラメータに設定された時間が経過し（ステップＢ３、Ｙｅｓ）、オブジェクトパラメータが示す消去タイミングに到達すると（ステップＢ４、Ｙｅｓ）、Ａ位置におけるオブジェクトの表示を停止（すなわちオブジェクトを消去）する。
【００５６】
図５（ｅ）には、初期状態から８秒が経過した状態を示している。図５（ｅ）に示すように、消去タイミングに到達したＡ位置ではオブジェクトが消去されている。
【００５７】
このように、シンボル表示部４２１は、最初に入力された位置情報が示すＡ位置において、オブジェクトパラメータに従って時間の経過に伴ってシンボルを変化させながら表示する。
【００５８】
一方、シンボル表示制御部４０は、シンボル表示部４２１を起動してＡ位置におけるオブジェクトの表示を実行させた後、シンボルパラメータに設定された時間が経過した後に次の位置情報を入力すると（ステップＡ３，Ａ１）、この入力された位置情報に対応するシンボル表示処理を起動する（ステップＡ２）。ここでは、シンボル表示制御部４０は、シンボル表示部４２２を起動し、位置情報（Ｂ位置）とシンボルパラメータ記憶部２７に記憶されたシンボルパラメータを提供する。
【００５９】
シンボル表示部４２２は、シンボル表示制御部４０により提供された位置情報をもとに、この位置情報が示すＢ位置においてシンボルを表示するためのシンボル表示処理を、前述したシンボル表示部４２１と同様にして、図４（ｂ）に示すフローチャートに従って実行する。
【００６０】
すなわち、シンボル表示部４２２は、最初に入力された位置情報が示すＢ位置において、シンボルパラメータの時間０に対して設定されているサイズ（形状）、色によってシンボルを表示させる。図５（ｂ）には、シンボル表示部４２２によりＢ位置に表示されたシンボルを示している。
【００６１】
シンボル表示部４２２は、Ｂ位置において、前述したシンボル表示部４２１と同様にして、時間経過に伴ってシンボルパラメータに従ってシンボルを変化させながら表示していく（図５（ｃ）→図５（ｅ））。そして、オブジェクトパラメータが示す消去タイミングに到達すると、Ｂ位置におけるオブジェクトの表示を停止（すなわちオブジェクトを消去）する（図５（ｆ））。
【００６２】
以下、同様にして、シンボル表示制御部４０は、所定時間が経過した後に入力される位置情報のそれぞれに対して、シンボル表示部４２３，４２４…を順次起動し、各位置において個々にシンボルパラメータに従ってシンボルを表示させる。従って、シンボル表示制御部４０は、レーダ画面にシンボルを表示させる位置の数分、シンボル表示部４２１〜４２ｎを起動することになる。
【００６３】
図５（ａ）〜（ｆ）では、Ａ〜Ｅ位置のそれぞれにシンボルを表示しているため、シンボル表示制御部４０は、各位置に対応するシンボル表示部４２１〜４２５を起動して、それぞれ個々にシンボルを表示させる。
【００６４】
図５に示すように、各位置において、シンボルパラメータに従って個々にシンボルを表示させることにより、レーダ装置１０により測定される航空機の位置の変化をレーダ画面において表示させることができる。すなわち、追尾機能のような負荷が大きい処理を使用することなく、処理負荷が軽い表示機能のみを用いて、あたかも航空機を追尾しているようにシンボルを表示させることができる。
【００６５】
このようにして、本実施形態におけるレーダ情報処理装置１２では、処理負荷を軽減した航空機等の位置表示が可能となるため、例えば通常の動作モードでは追尾機能を用いた位置表示を行い、障害発生時など負荷を軽減する必要がある動作状態となった場合に、前述した表示機能部２４のみによる位置表示に切り換えて実行するといった制御も可能となる。
【００６６】
なお、前述した説明では、シンボルパラメータ記憶部２７に記憶されるシンボルパラメータが１種類のシンボルに対するものとなっていたが、複数種のシンボルのそれぞれに対するシンボルパラメータが設定されるようにしても良い。複数種類のシンボルは、例えば識別された航空機別に使い分けるなどしても良い。
【００６７】
また、図２に示すシンボルパラメータは、一定時間ごとにサイズ（形状）、色について設定されているが、時間間隔は一定でなくても良い。また、シンボルの形状として、円形を例にして説明しているが、他の形状を用いることも可能である。また、時間経過に伴って相似形のサイズの小さいシンボルを表示するだけでなく、時間経過に伴って相似形ではない任意の形状のシンボルが表示されるようにパラメータを設定することも可能である。
【００６８】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６９】
【図１】本実施形態における航空交通管制システムの概略構成を示す図。
【図２】シンボルパラメータ記憶部２７に記憶されるシンボルパラメータの一例を示す図。
【図３】シンボルパラメータ設定処理について説明するためのフローチャート。
【図４】レーダ装置１０による測定により得られるレーダ情報（航空機の位置情報）をもとにシンボルを表示するための処理（シンボル表示制御処理、シンボル表示処理）を説明するためのフローチャート。
【図５】表示装置３１におけるレーダ画面の一部を時系列的に示す図。
【符号の説明】
【００７０】
１０…レーダ装置、１２…レーダ情報処理装置、２０…制御部、２１…レーダ情報取得部、２２…レーダ情報記憶部、２４…表示機能部、２６…シンボルパラメータ設定部、２７…シンボルパラメータ記憶部、２８…入力装置、２９…表示制御部、３０…表示メモリ、３１…表示装置、４０…シンボル表示制御部、４２１，４２２，４２３〜４２ｎ…シンボル表示部。
【図１】
0004746418.tif 000002
【図２】
0004746418.tif 000003
【図３】
0004746418.tif 000004
【図４】
0004746418.tif 000005
【図５】
0004746418.tif 000006